(57)【要約】      （修正有）【課題】ユーザの入力操作時の傾向を考慮しながら、誤入力を抑制する、文字入力装置、文字入力方法を提供する。【解決手段】文字入力装置１０は、フリック入力によって文字入力を受け付ける操作部１１０と、フリック入力の開始位置を検出する操作検出部１２０と、文字入力の入力判定領域を調整する判定部１４０とを備える。判定部は、フリック入力の誤入力回数に応じて、操作検出部が検出した開始位置に対応して、入力判定領域を調整する。【選択図】図１
2020149418.tif 000002
【特許請求の範囲】
【請求項１】
フリック入力によって文字入力を受け付ける操作部と、
前記フリック入力の開始位置を検出する操作検出部と、
前記フリック入力の誤入力回数に応じて、前記文字入力の入力判定領域を前記開始位置に対応して調整する判定部と、
を備えた、文字入力装置。
【請求項２】
前記判定部は、前記文字入力の文脈と前記誤入力回数とを用いて、誤入力が発生しやすい文字を検出する、請求項１に記載の文字入力装置。
【請求項３】
前記操作検出部は、前記フリック入力を行う際の操作ベクトルを検出し、
前記判定部は、前記操作ベクトルに応じて、前記入力判定領域を調整する、請求項１に記載の文字入力装置。
【請求項４】
前記操作検出部は、前記フリック入力を行う際の操作方向を検出し、
前記判定部は、前記操作方向に応じて、前記入力判定領域を調整する、請求項１に記載の文字入力装置。
【請求項５】
前記判定部は、
前記誤入力回数に閾値を設定し、
前記閾値を超えた場合に、前記入力判定領域を調整する、
請求項１に記載の文字入力装置。
【請求項６】
フリック入力によって文字入力を受け付けるステップと、
前記フリック入力の開始位置と方向とを検出するステップと、
前記フリック入力の誤入力回数に応じて、前記文字入力の入力判定領域を調整するステップと、
を、コンピュータが実行する、文字入力方法。
【請求項７】
フリック入力によって文字入力を受け付けるステップと、
前記フリック入力の開始位置と方向とを検出するステップと、
前記フリック入力の誤入力回数に応じて、前記文字入力の入力判定領域を調整するステップと、
を、コンピュータに実行させる、文字入力プログラム。
【発明の詳細な説明】
【技術分野】
【０００１】
この発明は、タッチパネル式入力デバイスの文字入力技術に関する。
【背景技術】
【０００２】
特許文献１に記載の構成では、スライド操作を含む入力操作を行うにあたり、該スライド操作の方向における認識領域を拡大することによって、入力操作の補助を行っている。
【先行技術文献】
【特許文献】
【０００３】
【特許文献１】特開２０１５−２５２０号公報
【発明の概要】
【発明が解決しようとする課題】
【０００４】
しかしながら、特許文献１の構成では、ユーザの誤入力を考慮せず、スライド方向の文字を視覚的に拡大している。すなわち、ユーザの入力操作時の操作傾向を判断していないため、誤入力を抑制できない虞があった。
【０００５】
したがって、本発明の目的は、ユーザの入力操作時の傾向を考慮しながら、誤入力を抑制することである。
【課題を解決するための手段】
【０００６】
この文字入力装置は、フリック入力によって文字入力を受け付ける操作部と、フリック入力の開始位置を検出するスライド検出部と、フリック入力の誤入力回数に応じて、文字入力の入力判定領域を開始位置に対応して調整する判定部とを備える。
【０００７】
この構成では、フリック入力の開始位置とベクトルからフリック方向を検出することによって、入力判定領域を調整することができ、誤入力が抑制され、利用者の利便性が向上する。
【０００８】
この文字入力装置の判定部は、文字入力の文脈と誤入力回数とを用いて、誤入力が発生しやすい文字、またはタイミングを検出してもよい。
【０００９】
この構成では、文字入力時の文脈や誤入力回数によって、ユーザの誤入力の傾向を分析できるため、誤入力がさらに抑制される。
【００１０】
この文字入力装置のスライド検出は、フリック入力を行う際の操作ベクトルを測定する。また、制御部は、操作ベクトルに応じて入力判定領域を調整してもよい。
【００１１】
この構成では、フリック入力時の速度を考慮し、フリック入力時の利用状況に応じた入力判定領域を調整でき、利用者の利便性がさらに向上する。
【００１２】
この文字入力装置のスライド検出は、フリック入力を行う際の操作方向を測定する。また、制御部は、操作方向に応じて入力判定領域を調整してもよい。
【００１３】
この構成では、フリック入力時の操作方向を考慮し、フリック入力時の利用状況に応じた入力判定領域を調整でき、利用者の利便性がさらに向上する。
【００１４】
この文字入力装置の制御部は、誤入力回数に閾値を設定し、閾値を超えた場合に入力判定領域を調整してもよい。
【００１５】
この構成では、誤入力の回数に応じて、入力判定領域を調整できる。
【発明の効果】
【００１６】
この発明によれば、ユーザの入力操作時の傾向を考慮しながら、誤入力を抑制できる。
【図面の簡単な説明】
【００１７】
【図１】本発明の第１の実施形態に係る文字入力装置のブロック図である。
【図２】（Ａ）−（Ｃ）は、本発明の第１の実施形態に係る文字入力装置の概要図である。
【図３】本発明の第１の実施形態に係る文字入力装置における操作部の概要図である。
【図４】本発明の第１の実施形態に係る文字入力装置の処理の流れを表すフローチャートである。
【図５】（Ａ），（Ｂ）は、本発明の第２の実施形態に係る文字入力装置の入力判定領域の調整イメージである。
【図６】（Ａ），（Ｂ）は、本発明の第３の実施形態に係る文字入力装置の入力判定領域の調整イメージである。
【図７】（Ａ），（Ｂ）は、本発明の第４の実施形態に係る文字入力装置の入力判定領域の調整イメージである。
【発明を実施するための形態】
【００１８】
以下、本発明を実施するための形態について、幾つかの図を参照して説明する。
【００１９】
・適用例  
まず、図１を用いて、本発明が適用される一例について説明する。図１は、本発明の第１の実施形態に係る文字入力装置のブロック図である。文字入力装置１０は、例えば、スマートフォン等の携帯通信端末等に備えられており、タッチパネル式の表示画面を操作することで、文字入力を行える機器で使用される。
【００２０】
文字入力装置１０は、操作部１１０と、操作検出部１２０と、制御部１３０と、判定部１４０と、保存部１５０と、文字出力部１６０とを備える。なお、以下の文字入力操作は、指を用いたフリック入力を行う。フリック入力とは、タッチパネル式の表示画面でスライド操作を行うことによって文字入力を行う方式である。以下の例では、日本語入力を例として用いるが、アルファベット入力にも適用できる。
【００２１】
操作部１１０は、例えば、タッチパネル式の表示画面に構成されている、ソフトウェアキーボードであり、キーを表示し、文字入力操作を受け付ける。操作部１１０は、複数の入力判定領域を有している。
【００２２】
操作検出部１２０は、操作部１１０における文字入力操作を検知し、文字入力操作のスライド方向（以下、第１操作方向）と、最初に入力された文字（以下、第１入力文字）と、第１入力文字の操作開始位置（以下、第１開始位置）を制御部１３０へ出力する。
【００２３】
制御部１３０は、第１入力文字を文字出力部１６０に出力する。利用者は、文字出力部１６０を見て、第１入力文字を認識する。
【００２４】
このとき、利用者は、第１入力文字が、誤った文字入力（以下、誤入力）であると判断し、削除ボタンを押下する。このことによって、操作検出部１２０は、削除操作を受け付け、削除操作を制御部１３０に出力する。制御部１３０は、文字出力部１６０に出力されている第１入力文字を削除する。
【００２５】
次に、利用者は、訂正した文字入力（以下、第２入力文字）を入力する。操作部１１０は、第２入力文字の文字入力操作を受け付ける。
【００２６】
操作検出部１２０は、操作部１１０における文字入力操作を検知し、文字入力操作のスライド方向（以下、第２操作方向）と、第２入力文字と、第２入力文字の操作開始位置（以下、第２開始位置）を制御部１３０へ出力する。
【００２７】
制御部１３０は、第１開始位置と、第１操作方向と、第２入力文字を判定部１４０に出力する。判定部１４０は第１入力文字と第２入力文字とを比較する。判定部１４０は、第２入力文字が第１入力文字と異なる場合に、利用者が誤入力を行ったと判断する。
【００２８】
判定部１４０は、第１開始位置と、第１操作方向と、第２文字入力とを関連付けて、制御部１３０に出力する。制御部１３０は、第１開始位置と、第１操作方向と、第２文字入力とを関連付けて、保存部１５０に保存する。
【００２９】
判定部１４０は、上述の操作を繰り返すことにより、誤入力の回数をカウントアップする。
【００３０】
このことによって、制御部１３０は、第２入力文字を入力する際は、利用者が第１開始位置と第１操作方向を用いる傾向があると判断する。この際、判定部１４０は、例えば第１開始位置の平均値を算出し、第２入力文字の入力判定領域を補正する。なお、入力判定領域とは、フリック入力において、任意の文字を入力しようと上下左右にスライドさせた時に、どの文字を基点として入力したかを判定する領域である。
【００３１】
上述の構成を用いることによって、利用者の操作に応じて、入力判定領域を補正できるため、利用者の利便性が向上する。
【００３２】
・構成例１  
図１は本発明の第１の実施形態に係る文字入力装置のブロック図である。図２（Ａ）−図２（Ｃ）は、本発明の第１の実施形態に係る文字入力装置の概要図である。図３は本発明の第１の実施形態に係る文字入力装置における操作部の概要図である。図４は本発明の第１の実施形態に係る文字入力装置の動作を表すフローチャートである。
【００３３】
上述の図１の文字入力装置１０の構成に基づき、図２（Ａ）、図２（Ｂ）、図２（Ｃ）を用いて、誤入力が発生する、より具体的な構成例を説明する。
【００３４】
図１、図２（Ａ）、図２（Ｂ）、図２（Ｃ）に示すように、文字入力装置１０は、操作部１１０と、文字出力部１６０とを備えている。図２（Ｂ）、図２（Ｃ）は、図２（Ａ）における操作部１１０の拡大図である。
【００３５】
文字出力部１６０には、文字入力を行うためのフィールドが表示されている。該フィールドは例えばメモ帳アプリケーション、メールアプリケーション等である。
【００３６】
文字出力１６０において、利用者が「たいせつ」と入力したい状況を例にとって説明する。利用者は、「たいせ」と入力し、次に「つ」を入力する。
【００３７】
図２（Ｂ）に示す例は、第１開始位置Ｓ１が、「ま行」を入力する位置に含まれている。この際、利用者が指を第１操作方向Ｆ１（上方向）にスライドさせる。このことによって、文字出力部１６０には、「たいせむ」と出力される。
【００３８】
利用者は、入力が誤りであると判断し、図２（Ｂ）の状況において、利用者は操作部１１０における削除ボタンを押下し、「たいせむ」の「む」という文字を削除する。
【００３９】
次に、利用者は、図２（Ｃ）に示すように、第２開始位置Ｓ２を「た行」が入力される位置に指を配置する。利用者は指を第２操作方向Ｆ２（上方向）にスライドさせる。このことによって、文字出力部１６０には、「たいせつ」と出力される。
【００４０】
操作検出部１２０は、第２入力文字「つ」、第１開始位置Ｓ１、第１操作方向Ｆ１を制御部１３０に出力する。制御部１３０は第１操作方向Ｆ１と、第２入力文字「つ」と、第１開始位置Ｓ１を判定部１４０に出力する。
【００４１】
判定部１４０は、利用者が第１開始位置Ｓ１と第１操作方向Ｆ１を用いて入力したい文字は、「つ」であると判断する。
【００４２】
判定部１４０は、第１操作方向Ｆ１、第２入力文字「つ」、第１開始位置Ｓ１を制御部１３０に出力する。制御部１３０は、第１操作方向Ｆ１、第２入力文字「つ」、第１開始位置Ｓ１を関連づけて、保存部１５０に保存する。
【００４３】
利用者が図２（Ｂ）、図２（Ｃ）の操作を繰り返すことによって、判定部１４０は、利用者の入力操作時の傾向を学習する。より具体的には、誤入力の回数が既定回数（閾値）に到達するまでの間、該学習を繰り返す。すなわち、誤入力の回数が既定回数に到達することによって、入力判定領域を更新する。
【００４４】
このことによって、図３に示すように、「た行」の「つ」を入力するための入力判定領域を「ま行」方向に拡大する。
【００４５】
言い換えれば、制御部１３０は、操作部１１０における「た行」の入力判定領域を領域１１１に拡大する。このことによって、利用者が「つ」を入力する際に、「ま行」方向に第１開始位置Ｓ１がずれていた場合でも、利用者が意図する入力を行うことができる。
【００４６】
この際、領域１１１は、入力判定領域のみを変更する。このことによって、「た行」の視覚的な領域の変更を行わないため、利用者が視覚的に意識しなくても、利用者の意図した入力が可能となる。
【００４７】
文字入力装置１０の処理の流れを図４のフローチャートを用いて説明する。
【００４８】
操作部１１０は、利用者からの第１入力文字の入力を受け付ける。操作検出部１２０は、第１入力文字の第１開始位置Ｓ１を検出する（Ｓ１０１）。
【００４９】
利用者は、第１開始位置Ｓ１から第１操作方向Ｆ１にスライド操作することによって、第１入力文字を入力する。操作検出部１２０は、第１操作方向Ｆ１、第１開始位置Ｓ１、第１入力文字を制御部１３０へ出力する。制御部１３０は、第１入力文字を文字出力部１６０に出力する（Ｓ１０２）。
【００５０】
操作検出部１２０は、利用者によって削除キーが押下されたかどうかを判断する（Ｓ１０３）。
【００５１】
削除キーが押下された場合（Ｓ１０３：Ｙｅｓ）、操作部１１０は、利用者からの第２入力文字の入力を受け付ける。操作検出部１２０は、第２入力文字の第２開始位置Ｓ２を検出する（Ｓ１０４）。
【００５２】
利用者は、第２開始位置Ｓ２から第２操作方向Ｆ２にスライド操作することによって、第２入力文字を入力する（Ｓ１０５）。
【００５３】
操作検出部１２０は、第２開始位置Ｓ２、第２操作方向Ｆ２、第２入力文字を制御部１３０へ出力する。制御部１３０は、第２開始位置Ｓ２、第２操作方向Ｆ２、第２入力文字を判定部１４０に出力する（Ｓ１０６）。
【００５４】
判定部１４０は、第１操作方向Ｆ１、第２入力文字、第１開始位置Ｓ１を制御部１３０に出力する。制御部１３０は、第１操作方向Ｆ１、第２入力文字、第１開始位置Ｓ１を関連づけて、保存部１５０に保存する（Ｓ１０７）。このことによって、利用者が誤入力を行った履歴が保存部１５０に蓄積される。
【００５５】
判定部１４０は、第２入力文字が第１入力文字と異なる場合に、利用者が誤入力を行ったと判断し、誤入力が既定回数に到達したかどうかを判断する（Ｓ１０８）。
【００５６】
誤入力回数が既定回数に到達した場合（Ｓ１０８：Ｙｅｓ）、制御部１３０は、保存部１５０に保存されている誤入力の履歴に基づいて、入力判定領域を更新する（Ｓ１０９）。
【００５７】
誤入力回数が既定回数に到達していない場合（Ｓ１０８：Ｎｏ）、再度ステップＳ１０１に戻り、文字入力を受け付ける。
【００５８】
削除キーが押下されなかった場合（Ｓ１０３：Ｎｏ）、第１入力文字を保存部１５０に保存する（Ｓ１１１）。
【００５９】
このように構成することで、利用者の誤入力回数に応じて、入力判定領域を更新することができ、利用者が意図する文字入力を容易に行うことができる。すなわち、利便性が高い文字入力を実現できる。
【００６０】
・構成例２  
次に、図５（Ａ）、図５（Ｂ）を用いて、文字入力装置の具体的な構成について説明する。図５（Ａ）、図５（Ｂ）は、本発明の第２の実施形態に係る文字入力装置の入力判定領域の調整イメージである。
【００６１】
第２の実施形態においては、第１の実施形態と比較して、入力文字のスライド操作において加速度を検出する点において異なる。その他の点については、第１の実施形態と同様であり、同様の箇所の説明は省略する。
【００６２】
利用者が「つ」を入力する際の操作を例にとって説明する。図５（Ａ）は、利用者が第１開始位置Ｓ１から第１操作ベクトルＶ１１でスライド操作を行う。図５（Ｂ）は、利用者が第１開始位置Ｓ１から第２操作ベクトルＶ１２でスライド操作を行う。
【００６３】
図５（Ａ）に示すように、第１開始位置Ｓ１は「ま行」に含まれるため、利用者が「つ」を意図して入力したが「む」と出力される。同様に、図５（Ｂ）に示すように、第１開始位置Ｓ１は「ま行」に含まれるため、利用者が「つ」を意図して入力したが「む」と出力される。
【００６４】
まず、図５（Ａ）の場合について説明する。利用者は、「む」の入力が誤りであると判断し、削除ボタンを押下することによって、「む」を削除する。
【００６５】
利用者は、第２開始位置Ｓ２を「た行」が入力される位置に指を配置することによって、正しく「つ」を入力する。
【００６６】
操作検出部１２０は、第２入力文字「つ」、第１開始位置Ｓ１、第１操作ベクトルＶ１１を制御部１３０に出力する。制御部１３０は、第２入力文字「つ」、第１開始位置Ｓ１、第１操作方向Ｆ１を判定部１４０に出力する。
【００６７】
判定部１４０は、第２入力文字「つ」、第１開始位置Ｓ１、第１操作ベクトルＶ１１を制御部１３０に出力する。制御部１３０は、第２入力文字「つ」、第１開始位置Ｓ１、第１操作ベクトルＶ１１を関連づけて、保存部１５０に保存する。
【００６８】
図５（Ｂ）においても、利用者は、「む」の入力が誤りであると判断し、削除ボタンを押下することによって、「む」を削除する。
【００６９】
利用者は、第２開始位置Ｓ２を「た行」が入力される位置に指を配置することによって、正しく「つ」を入力する。
【００７０】
操作検出部１２０は、第２入力文字「つ」、第１開始位置Ｓ１、第２操作ベクトルＶ１２を制御部１３０に出力する。制御部１３０は、第２入力文字「つ」、第１開始位置Ｓ１、第２操作ベクトルＶ１２を判定部１４０に出力する。
【００７１】
このように構成することで、図５（Ａ）、図５（Ｂ）のそれぞれにおいて、判定部１４０は、操作部１１０における入力判定領域を更新する。
【００７２】
この際、第１操作ベクトルＶ１１と第２操作ベクトルＶ１２を比較する。第１操作ベクトルＶ１１は、第２操作ベクトルＶ１２よりも小さい。すなわち、第２操作ベクトルＶ１２の速度は、第１操作ベクトルＶ１１の速度よりも速い。
【００７３】
判定部１４０は、利用者がスライド操作を素早く行わない場合は、利用者が急いでいない状態で文字入力を行ったと判断する。一方、判定部１４０は、利用者がスライド操作を素早く行う場合は、利用者が急いでいる状態で文字入力を行ったと判断する。
【００７４】
したがって、判定部１４０は、図５（Ａ）に示した状況においては、利用者が急いでいない状態であるにも関わらず誤入力する、すなわち、利用者は図５（Ａ）の状況において誤入力しやすい傾向にあると判断する。このことによって、判定部１４０は、第１操作ベクトルＶ１１で操作を行った場合の領域１１１Ａを、図５（Ｂ）に示す、第２操作ベクトルＶ１２で操作を行った場合の領域１１２Ａよりも大きく形成する。
【００７５】
このような構成であっても、利用者のスライド操作時のベクトルに応じて、入力判定領域を更新することができ、利用者が意図する文字入力を容易に行うことができる。すなわち、利便性が高い文字入力を実現できる。
【００７６】
・構成例３  
次に、図６（Ａ）−図６（Ｄ）を用いて、文字入力装置の具体的な構成について説明する。図６（Ａ）−図６（Ｄ）は、本発明の第３の実施形態に係る文字入力装置の入力判定領域の調整イメージである。
【００７７】
第３の実施形態においては、第１の実施形態と比較して、文字入力時の文脈を考慮する点において異なる。その他の点については、第１の実施形態と同様であり、同様の箇所の説明は省略する。
【００７８】
図６（Ａ）は、文頭で「お」を入力する際の例である。判定部１４０は、利用者が文頭で「お」を入力する際に、「と」を誤入力する傾向にあると判断した場合、入力判定領域は、領域１１１Ｂに更新される。
【００７９】
図６（Ｂ）は、「明日に」と入力する際の例である。判定部１４０は、利用者が文字の変換後、より具体的には、「あした」を「明日」に変換した場合に、「ち」と誤入力する傾向にあると判断した場合、入力判定領域は、領域１１２Ｂに更新される。
【００８０】
図６（Ｃ）は、「おせわに」と入力する際の例である。判定部１４０は、利用者が「に」を入力する際に、「き」と誤入力する傾向にあると判断した場合、入力判定領域は、領域１１３Ｂに更新される。
【００８１】
図６（Ｄ）は、「いろいろ」と入力する際の例である。判定部１４０は、利用者が繰り返し文字を入力する際、より具体的には、「いろい」の後に「ろ」を入力する場合に、記号などの別文字を誤入力する傾向にあると判断した場合、入力判定領域は、領域１１４Ｂに更新される。
【００８２】
上述の構成を用いることにより、判定部１４０は、文字を入力する際に利用者が誤入力を既定回数行った場合に、入力判定領域の更新有無を判定する。
【００８３】
このように構成であっても、利用者の入力した文章や文脈に応じて、入力判定領域を更新することができ、利用者が意図する文字入力を容易に行うことができる。すなわち、利便性が高い文字入力を実現できる。
【００８４】
・構成例４  
次に、図７（Ａ）、図７（Ｂ）を用いて、文字入力装置の具体的な構成について説明する。図７（Ａ）、図７（Ｂ）は、本発明の第４の実施形態に係る文字入力装置の入力判定領域の調整イメージである。
【００８５】
第４の実施形態においては、第１の実施形態と比較して、フリック方向を誤入力の判定に考慮する点において異なる。その他の点については、第１の実施形態と同様であり、同様の箇所の説明は省略する。
【００８６】
図７（Ａ）は、「つ」を入力する際の例である。判定部１４０は、「つ」を入力する際に、「う」を誤入力する傾向にあると判断した場合、すなわち、第１操作方向Ｆ１と同方向の文字を誤入力する傾向にあると判断する。言い換えれば、判定部１４０は、第１操作方向Ｆ１と同方向の「あ行」の「う」を誤入力しているため、誤入力の確率が高いと判断する。このことによって、入力判定領域は、領域１１１Ｃに更新される。
【００８７】
図７（Ｂ）は、「つ」を入力する際の例である。判定部１４０は、「つ」を入力する際に、「む」を誤入力する傾向にあると判断した場合、すなわち、第１操作方向Ｆ１とは逆方向の文字を誤入力する傾向にある判断する。言い換えれば、判定部１４０は、第１操作方向Ｆ１と逆方向の「ま行」の「む」を誤入力しているため、一般的に誤入力の確率が低い文字を入力しているにも関わらず、利用者が誤入力する、すなわち、利用者は図７（Ｂ）の状況において誤入力をしやすいと判断する。このことによって、判定部１４０は、入力判定領域を領域１１２Ｃに更新する。
【００８８】
図７（Ａ）の例と図７（Ｂ）の例を比較する。判定部１４０は、フリック方向によって誤入力の確率が低い位置にも誤入力を行う回数が多い場合には、入力判定領域を大きく拡大する必要があると判断する。このことによって、判定部１４０は、領域１１１Ｃよりも領域１１２Ｃの領域を小さく拡大する。
【００８９】
このような構成であっても、利用者の入力した文章や文脈に応じて、入力判定領域を更新することができ、利用者が意図する文字入力を容易に行うことができる。すなわち、利便性が高い文字入力を実現できる。
【００９０】
また、上述の構成は、フリック入力を行う例を用いて示したが、グライド入力にも対応できる。
【００９１】
さらに、この発明に係る構成と上述した実施形態に係る構成との対応関係は、以下の付記のように記載できる。  
＜付記＞
フリック入力によって文字入力を受け付ける操作部（１１０）と、
前記フリック入力の開始位置を検出する操作検出部（１２０）と、
前記フリック入力の誤入力回数に応じて、前記文字入力の入力判定領域を前記開始位置に対応して調整する判定部（１４０）と、
を備えた、文字入力装置（１０）。
【符号の説明】
【００９２】
Ｆ１…第１操作方向
Ｆ２…第２操作方向
Ｓ１…第１開始位置
Ｓ２…第２開始位置
Ｖ１１…第１操作ベクトル
Ｖ１２…第２操作ベクトル
１０…文字入力装置
１１０…操作部
１１１、１１１Ｂ、１１１Ｃ、１１２Ａ、１１２Ｂ、１１２Ｃ、１１３Ｂ、１１４Ｂ…領域
１２０…操作検出部
１３０…制御部
１４０…判定部
１５０…保存部
１６０…文字出力部
【図１】
2020149418.tif 000003
【図２】
2020149418.tif 000004
【図３】
2020149418.tif 000005
【図４】
2020149418.tif 000006
【図５】
2020149418.tif 000007
【図６】
2020149418.tif 000008
【図７】
2020149418.tif 000009